(57)【要約】  【課題】  複数の携帯すべき品物の忘れ物を防止する。  【解決手段】  チェックカード１や携帯電話機１３の画面から構成される表示面には、物品名を表示する物品名表示欄６，２２が複数設けられ、該各物品名表示欄６，２２に対応して物品有無表示部８，２５が設けらている。チェックカード１や携帯電話機１３には、複数のＩＣタグ７ａを無接触で読み取るＩＣタグリーダ３，１５と、ＩＣタグリーダ３，１５の読み取ったＩＣタグ７ａの識別情報に基づき、物品有無表示部８を変化させるデータ処理手段が内蔵されている。携帯すべき品物に貼り付けられる非接触ＩＣタグを含むＩＣタグシール７が用意され、携帯すべき品物に貼り付けられたＩＣタグ７ａの情報をＩＣタグリーダ３，１５で読み取り、この読み取り結果を物品有無表示部８，２５に表示する。【選択図】図１
2006023845.tif 000002
【特許請求の範囲】
【請求項１】
物品名を表示する物品名表示欄が複数設けられ、該各物品名表示欄に対応して物品有無表示部が設けられた表示面と、複数のＩＣタグを無接触で読み取るＩＣタグリーダと、前記ＩＣタグリーダの読み取ったＩＣタグの識別情報に基づき、前記物品有無表示部を変化させるデータ処理手段と、前記物品名表示欄に表示された物品ごとに用意され、携帯すべき品物に貼り付けられるＩＣタグを含むＩＣタグシールとを備え、前記携帯すべき品物に貼り付けられたＩＣタグの情報を前記ＩＣタグリーダで読み取り、この読み取り結果を前記物品有無表示部に表示するようにしたことを特徴とする忘れ物防止装置。
【請求項２】
前記表示面は、携帯に適したカードの表面に形成され、該カードにバッテリーを有する前記ＩＣタグリーダと前記データ処理手段を内蔵したことを特徴とする請求項１に記載の忘れ物防止装置。
【請求項３】
前記表示面を携帯電話機のマイクロコンピュータに格納されたプログラムソフトにより前記携帯電話機の画面上に形成し、該プログラムソフトにより前記データ処理手段を構成するとともに、前記携帯電話機に前記ＩＣタグリーダを内蔵又は接続したことを特徴とする請求項１に記載の忘れ物防止装置。
【請求項４】
前記表示面に表示された物品名表示欄は、予め所要の物品名が記入された記入済み欄と、所望の物品名を書き込むことができる書き込み欄とより構成されていることを特徴とする請求項２又は請求項３に記載の忘れ物防止装置。
【請求項５】
前記物品有無表示部は、前記物品名表示欄ごとに設けられたランプにより構成され、該ランプを前記データ処理手段によりオンオフ駆動するようにしたことを特徴とする請求項２に記載の忘れ物防止装置。
【請求項６】
前記物品有無表示部は、前記携帯電話機のマイクロコンピュータに格納された物品有無表示プログラムソフトにより、携帯電話機の画面上で制御されるようにしたことを特徴とする請求項３に記載の忘れ物防止装置。
【発明の詳細な説明】
【技術分野】
【０００１】
本発明は、非接触型ＩＣタグを利用した忘れ物防止装置に関する。
【背景技術】
【０００２】
ＩＣチップが搭載されたカード形、タグ形又はコイン形などの非接触型ＩＣタグ装置は、豊富な情報量と高いセキュリティ性能を備えていることから、交通、流通及び情報通信等の分野で普及が進んでいる。なかでも、近年開発された非接触型ＩＣタグ装置は、データ電送を無線で行うため、信頼性に優れ、同時に複数枚のデータ処理が可能などの特徴を有しているため注目を集めている。
【０００３】
また外出、退社、通勤、通学、または忘れ物を防止する行動を行う場合に、複数の使用目的とする名称の確認を再確認するため、再確認した痕跡を残すことができるようにした確認ボードが知られている（例えば特許文献１参照）。
【特許文献１】特開２００１−１２５４９０号公報（第１頁、第１図）
【発明の開示】
【発明が解決しようとする課題】
【０００４】
旅行や会社の出張等において、複数の持ち物を携帯する場合、そのうちの幾つかをうっかりしてつい忘れてしまうことがある。
本発明は複数の携帯すべき品物の忘れ物を防止するため、携帯に便利な忘れ物防止装置を提供することを目的とするものである。
【課題を解決するための手段】
【０００５】
上記目的を達成するため本発明は、物品名を表示する物品名表示欄が複数設けられ、該各物品名表示欄に対応して物品有無表示部が設けられた表示面と、複数のＩＣタグを無接触で読み取るＩＣタグリーダと、前記ＩＣタグリーダの読み取ったＩＣタグの識別情報に基づき、前記物品有無表示部を変化させるデータ処理手段と、前記物品名表示欄に表示された物品ごとに用意され、携帯すべき品物に貼り付けられる非接触型のＩＣタグを含むＩＣタグシールとを備え、前記携帯すべき品物に貼り付けられたＩＣタグの情報を前記ＩＣタグリーダで読み取り、この読み取り結果を前記物品有無表示部に表示するようにしたものである。
また本発明における前記表示面は、携帯に適したカードの表面に形成され、該カードにバッテリーを有する前記ＩＣタグリーダと前記データ処理手段を内蔵したことを特徴とするものである。
また本発明における前記表示面を携帯電話機のマイクロコンピュータに格納されたプログラムソフトにより前記携帯電話機の画面上に形成し、該プログラムソフトにより前記データ処理手段を構成するとともに、前記携帯電話機に前記ＩＣタグリーダを内蔵又は接続したものである。
また本発明における前記表示面に表示された物品名表示欄は、予め所要の物品名が記入された記入済み欄と、所望の物品名を書き込むことができる書き込み欄とにより構成されているものである。
また本発明における前記物品有無表示部は、前記物品名表示欄ごとに設けられたランプにより構成され、該ランプを前記データ処理手段によりオンオフ駆動するようにしたものである。
また本発明における前記物品有無表示部は、前記携帯電話機のマイクロコンピュータに格納された物品有無表示プログラムソフトにより、携帯電話機の画面上で制御されるようにしたものである。
【発明の効果】
【０００６】
本発明は、旅行や会社などの出張を行う場合に、複数の携帯すべき品物の忘れ物を簡単に防止することができる。特に、非接触状態で作動するため、チェックカードや携帯電話機をいちいち携帯すべき品物に接触させる必要なく、カバンや箱の中にＩＣタグを貼り付けた品物が収容されていれば、該ＩＣタグからの情報によって前記チェックカードの表示面に存するランプが点灯することにより、忘れ物の有無を容易に確認することができる。たとえカバンの中に収容した品物が重なっていても複数の品物について確実に忘れ物の有無を確認することができる。
【発明を実施するための最良の形態】
【０００７】
以下に、本発明の構成を添付した図面を参照して詳細に説明する。
図１は、本発明の第１の実施形態である携帯型のチェックカードを示している。チェックカード１は、バッテリー２を内蔵し、内部にＩＣチップから成るＩＣタグリーダ３が取り付けられている。このチェックカード１は、携帯に便利なようにストラップ４が取り付けられている。
【０００８】
前記チェックカード１の表面には、表示面１ａを構成してあり、該表示面１ａには枠で囲まれたチップシール貼り付け部５が規則的に複数配列表示され、各チップシール貼り付け部５の横には、それぞれ物品名表示欄６が設けられている。前記チップシール貼り付け部５には、非接触状態で作動するＩＣタグ７ａを有するＩＣタグシール７が脱着自在に貼り付けられている。
【０００９】
前記複数の物品名表示欄６は、予め基本的な物品名、例えば、運転免許証、定期券等が表示された基本物品名表示欄６ａと、物品名が何も表示されておらず、ユーザーがインデックスシールなどによって所望の物品名を貼り付けて表示できるようにした物品名書き込み欄６ｂとが設けられている。前記各物品名表示欄６の横には、それぞれ物品有無表示部８が設けられている。
【００１０】
前記物品有無表示部８は、それぞれオンオフスイッチ９と、発光ダイオードなどから成るランプ１０を備え、各ランプ１０は、図３に示すように、オンオフスイッチ９、ランプドライブ回路１１を介してチェックカード１に内蔵された読取データ処理回路１２に接続している。データ処理手段である前記読取データ処理回路１２は、スイッチ９がオンの状態において、ＩＣタグリーダ３が所定の非接触ＩＣタグ７の情報を検出して読み取ると、ランプドライブ回路１１を介して対応するランプ１０を赤く点灯するように構成されている。前記読取データ処理回路１２は、ＩＣタグリーダ３の読み取ったＩＣタグ７ａの識別情報に基づき、前記物品有無表示部８を変化させるデータ処理手段を構成してある。
【００１１】
各物品有無表示部８のそれぞれのオンオフスイッチ９のオンオフは、物品有無表示部８を指で押圧することにより、スイッチオン、スイッチオフのいずれかに設定できる圧力スイッチ構造となっている。なお、このスイッチオンオフ切換構造はどのような構造を採用しても良く、圧力スイッチ構造に特に限定されるものではない。前記ＩＣタグリーダ３の無線によるＩＣタグ読み取り範囲は、本実施形態では、半径１ｍ程度に設定されている。
【００１２】
次に、本実施形態の動作について説明する。
ユーザーは、常にカバンや衣服のポケットの中に携帯すべき必需品、例えば、運転免許証、定期券、パスポート、健康保険証などに、チェックカード１のこれらの品物と対応するチップシール貼り付け部５からＩＣタグシール７を剥がして、該ＩＣタグシール７をそれぞれの物品名表示欄６に貼り付ける。
【００１３】
物品名表示欄６に記載した品物以外の品物を必需品、即ち、忘れ物を防止しようとする品物に加える場合には、例えば、手帳を必需品に加えたいときは、市販のインデックス粘着シール等に「手帳」と記入し、該粘着シールを物品名書き込み欄６ｂに脱着可能に貼り付け、該物品名書き込み欄６ｂの横のＩＣタグシール７を剥がして、手帳に貼り付ける。
【００１４】
各物品有無表示部８のオンオフスイッチ９は、初期状態ではオフの状態にあるため、ユーザーは、チップシール貼り付け部５からＩＣタグシール７を剥がしたときに、空欄となったチップシール貼り付け部５の横に位置するの物品有無表示部８のオンオフスイッチ９をオンにする。
【００１５】
上記した状態において、ＩＣタグシール７を取り付けた必需品を、カバンや衣服のポケットに収納し、忘れ物を確認する場合には、チェックカード１を読み取りモードにし、チェックカード１をカバンや衣服に近づけると、チェックカード１に内蔵されたＩＣタグリーダ３が、カバンの中や衣服のポケット内のＩＣタグ７ａの情報を読み取る。
【００１６】
この読み取りデータは、読み取りデータ処理回路１２に入力され、該処理回路１２は読み取ったＩＣタグ７ａの識別情報に基づいて、対応する物品有無表示部８のランプ１０を赤く点灯させる。之によって、忘れ物をしていないことを確認できる。
【００１７】
また、必需品に付けられたＩＣタグ７ａが、ＩＣタグリーダ１の読み取り範囲に存在しない場合には、そのＩＣタグ７ａに対応する物品有無表示部８のランプ１０は赤く点灯しない。これによって、ユーザーは、忘れ物の有無を確認できる。即ち、忘れてはいけない品物が、カバンやポケットの中に入っていないとランプは点灯せず、忘れ物をした状態であることがわかる。
【００１８】
次に、本発明の第２の実施形態について説明する。
図４中、１３は携帯電話機であり、これに内蔵されたマイクロコンピュータの記憶装置に物品有無表示プログラムソフト１４が記録されている。また、携帯電話機１３には、ＩＣタグリーダ１５が内蔵され、該ＩＣタグリーダ１５は、前記マイクロコンピュータに接続している。
【００１９】
前記プログラムソフト１４は、前記チェックカード１の表示面１ａと同一のパターンを携帯電話機１３の画面１８に表示するための表示部１６を備え、携帯電話機１３の所要の画面切換スイッチを押すと、モード切換部１７が動作し、携帯電話機１３の画面１８には、チェックカード１の表示面１ａと同一のパターンを表示する表示部１６が設定されている。
【００２０】
携帯電話機１３の画面１８の表示面に表示されたパターン中の各欄の中、チェックカード１の物品名書き込み欄６ｂに対応する欄１９は、画面編集処理部２１の動作により、ユーザーが携帯電話機１３のキー操作部２０から所望の文字を記入、消去、訂正できるように設定されている。前記画面１８の各欄１９，２２の横には、ＩＣタグ有無表示２３が表示され、該表示２３はユーザーが前記画面編集処理部２１を動作させて、タグマーク２４の消去、記入を自由にキー操作部２０の操作によって行うことができる。
【００２１】
物品有無表示部８に対応する物品有無表示部２５は、物品有無表示プログラムソフト１４の、読み取りデータ取込部２６からの読み取りデータに基づいて、制御部２７によってランプに相当する検出表示２８の色が例えば赤に変化し、物品を検出したことを表示するように構成されている。即ち、忘れ物をしていないことを確認したことになる。
【００２２】
上記した構成において、予め、携帯電話機１３の画面１８の物品名表示欄２２に対応するＩＣタグを７ａを含むＩＣシール７を、この物品名表示欄２２に表示された物品、例えば、運転免許証に貼り付け、該物品をカバンや衣服のポケットに収納する。物品名表示欄２２に表示されていない物品については、その名称を、画面１８の任意の書き込み欄１９にキー操作部２０を操作して入力し、その記入した任意の書き込み欄１９に対応するＩＣタグを含むＩＣタグシール７を、物品に貼り付ける。
【００２３】
該状態において、携帯電話機１３を物品検出モードに切り換え、携帯電話機１３をカバンや衣服のポケットの近辺に近づけると、携帯電話機１３に内蔵された、あるいは、携帯電話機１３に接続した、ＩＣタグリーダ１５がカバンの中やポケットの内部等のＩＣタグ７ａの情報を読み取る。
【００２４】
この制御部２７は、読み取ったＩＣタグ７ａの識別情報に基づいて、表示部１６を制御し、画面１８の該識別情報に対応する検出表示２８を赤色に変化させ、検出表示２８の横の物品名表示欄２２に表示されている物品を検出したことを表示する。前記制御部２７は、ＩＣタグリーダの読み取ったＩＣタグ７ａの識別情報に基づき、物品有無表示部２５を変化させるデータ処理手段を構成している。ユーザーは、携帯電話機１３の画面１８中の、各物品名表示欄２２の横の検出表示２８の色の変化により、忘れ物情報を得ることができ、それによって忘れ物を防止することができる。
【図面の簡単な説明】
【００２５】
【図１】本発明に係るチェックカードの平面説明図である。
【図２】ＩＣタグシールの説明図である。
【図３】本発明のハードウエア構成を示すブロック回路図である。
【図４】本発明の他の実施形態に使用される携帯電話機の平面図である。
【図５】物品有無表示プログラムソフトの機能ブロック説明図である。
【符号の説明】
【００２６】
１      チェックカード
１ａ    表示面
２      バッテリー
３      ＩＣタグリーダ
４      ストラップ
５      チップシール貼り付け部
６      物品名表示欄
６ａ    基本物品名表示欄
６ｂ    物品名書き込み欄
７      ＩＣタグシール
７ａ    ＩＣタグ
８      物品有無表示部
９      スイッチ
１０    ランプ
１１    ランプドライブ回路
１２    読み取りデータ処理回路（データ処理手段）
１３    携帯電話機
１４    物品有無表示プログラムソフト
１５    ＩＣタグリーダ
１６    表示部
１７    モード切換部
１８    画面
１９    欄
２０    キー操作部
２１    画面編集処理部
２２    物品名表示欄
２３    ＩＣタグ有無表示
２４    タグマーク
２５    物品有無表示部
２６    読み取りデータ取込部
２７    制御部（データ処理手段）
２８    検出表示
【図２】
2006023845.tif 000003
【図３】
2006023845.tif 000004
【図５】
2006023845.tif 000005
【図１】
2006023845.tif 000006
【図４】
2006023845.tif 000007